(57)【要約】【課題】  従来の刻印具にあっては印部が潰れた場合には全体を交換することとなるため、新たな刻印具を購入しなければならず使用者にとってはコスト高となり、特に、手打ち用刻印具にあっては、金槌等で投打する殴打部も損傷することから印部は使用可能であっても、新たな手打ち用刻印具を購入しなければならないといった問題があった。【解決手段】  一端に開口１ａを形成された本体１と、一端に印部２ａが形成され前記開口に着脱自在に挿入される印体２と、該印体の前記印部を外側にして前記開口に挿入した状態において前記印体が抜け落ちるのを防止する止め具３とから構成した刻印具である。【選択図】        図１
2010188643.tif 000002
【特許請求の範囲】
【請求項１】
一端に開口を形成された本体と、一端に印部が形成され前記開口に着脱自在に挿入される印体と、該印体の前記印部を外側にして前記開口に挿入した状態において前記印体が抜け落ちるのを防止する止め具とから構成したことを特徴とする刻印具。
【請求項２】
前記止め具で固定した状態において前記印体の前記印部が形成された面とは反対面が前記開口の底面と当接するようにしたことを特徴とする請求項１記載の刻印具。
【請求項３】
本体の前記印体が挿入される面とは反対面に開口を形成し、該開口に殴打受け体を着脱自在に取付けると共に該殴打受け体が抜け出るのを防止する止め具を取付けたことを特徴とする請求項１記載の刻印具。
【請求項４】
前記止め具が、前記本体に形成されたネジ孔に螺合されるネジと、前記印体に形成された溝とで形成され、前記ネジの先端を前記溝に係止させて抜け止めとしたことを特徴とする請求項１乃至３の何れかに記載の刻印具。
【請求項５】
前記止め具が、前記本体にネジ止めされた止め板と、前記印体に形成された平坦面とで形成され、前記止め板を前記印体の平坦面に当接した状態で止め板を本体にネジ止めして抜け止めとしたことを特徴とする請求項１乃至３の何れかに記載の刻印具。
【請求項６】
前記止め具が、前記本体に形成された円錐孔と、前記印体に形成された穴内に挿入されたスプリングと、該スプリングによってバネ付勢された上下動ピンとで構成され、前記印体を前記本体の開口に挿入した状態で前記上下動ピンの先端が前記本体の皿状孔に前記スプリングのバネ力で係合されることで抜け止めとしたことを特徴とする請求項１乃至３の何れかに記載の刻印具。
【請求項７】
前記上下動ピンには長手方向に沿って係止段部を有する溝が形成され、該溝に対して前記印体に螺合されたネジやピンからなる突起物の先端が挿入され、前記印体を前記本体から抜き取っても前記上下動ピンが前記印体から抜け出ないようにしたことを特徴とする請求項６記載の刻印具。
【請求項８】
前記印体の穴内に前記スプリングと前記上下動ピンとを挿入した状態において前記穴の開口部にリングを圧入固定することで前記上下動ピンが前記印体から抜け出ないようにしたことを特徴とする請求項６記載の刻印具。
【発明の詳細な説明】
【技術分野】
【０００１】
本発明は、作業者が頭部を殴打する手打ち用刻印具やプレス機に装着するプレス用刻印具によって金属製品等の表面にメーカー名や製造番号等の文字やマークを刻印するための刻印具に関する。
【背景技術】
【０００２】
従来における刻印具としては、本出願人会社が２００７年３月に発行したカタログ「ｐｒｏｄｕｃｔ  ｃａｔａｌｏｇ」第３頁の写真に掲載されたものがある。このカタログには手打ち用刻印具（図７ａ）とプレス機に装着するプレス用刻印具（図７ｂ）が掲載されている。
【０００３】
すなわち、図７ａに示す手打ち用刻印具ａの一端には前面より突出した文字やマーク等の印部ａ１が形成され、他端は円錐台に形成された殴打部ａ２となっている。また、図７ｂに示すプレス機に装着されるプレス用刻印具ｂの一端には前記手打ち刻印具ａと同様に印部ｂ１が形成され、他端は円柱状に形成されプレス機への装着部ｂ２となっている。
【先行技術文献】
【非特許文献】
【０００４】
【非特許文献１】東京彫刻工業株式会社が２００７年３月に発行したカタログ「ｐｒｏｄｕｃｔ  ｃａｔａｌｏｇ」第３頁の写真
【発明の概要】
【発明が解決しようとする課題】
【０００５】
ところで、前記した手打ち用刻印具ａおよびプレス用刻印具ｂの何れにあっても、被刻印物が金属のような硬度の高い製品に対して刻印を行うと、文字やマークを構成する部分が潰れて使用不能となる。
【０００６】
そして、従来にあっては、刻印具ａ，ｂの何れにあっても全体を交換することとなるため、新たな刻印具ａ，ｂを購入しなければならず使用者にとってはコスト高となり、特に、手打ち用刻印具ａにあっては、金槌等で投打する殴打部ａ２も損傷することから印部ａ１は使用可能であっても、新たな手打ち用刻印具ａを購入しなければならないといった問題があった。
【０００７】
本発明は前記した問題点を解決せんとするもので、その目的とするところは、印部が使用不能となった場合には印部のみの交換することでコストの低減を図ることができ、また、手打ち用刻印具の場合には、殴打部が使用不能となった場合には殴打部の交換によって再度使用可能となる刻印具を提供せんとするにある。
【課題を解決するための手段】
【０００８】
本発明の刻印具は前記した目的を達成せんとするもので、請求項１の手段は、一端に開口を形成された本体と、一端に印部が形成され前記開口に着脱自在に挿入される印体と、該印体の前記印部を外側にして前記開口に挿入した状態において前記印体が抜け落ちるのを防止する止め具とから構成したことを特徴とする。
【０００９】
請求項２の手段は、前記した請求項１において、前記止め具で固定した状態において前記印体の前記印部が形成された面とは反対面が前記開口の底面と当接するようにしたことを特徴とする。
【００１０】
請求項３の手段は、前記した請求項１において、本体の前記印体が挿入される面とは反対面に開口を形成し、該開口に殴打受け体を着脱自在に取付けると共に該殴打受け体が抜け出るのを防止する止め具を取付けたことを特徴とする。
【００１１】
請求項４の手段は、前記した請求項１乃至３の何れかにおいて、前記止め具が、前記本体に形成されたネジ孔に螺合されるネジと、前記印体に形成された溝とで形成され、前記ネジの先端を前記溝に係止させて抜け止めとしたことを特徴とする。
【００１２】
請求項５の手段は、前記した請求項１乃至３の何れかにおいて、前記止め具が、前記本体にネジ止めされた止め板と、前記印体に形成された平坦面とで形成され、前記止め板を前記印体の平坦面に当接した状態で止め板を本体にネジ止めして抜け止めとしたことを特徴とする。
【００１３】
請求項６の手段は、前記した請求項１乃至３の何れかにおいて、前記止め具が、前記本体に形成された円錐孔と、前記印体に形成された穴内に挿入されたスプリングと、該スプリングによってバネ付勢された上下動ピンとで構成され、前記印体を前記本体の開口に挿入した状態で前記上下動ピンの先端が前記本体の皿状孔に前記スプリングのバネ力で係合されることで抜け止めとしたことを特徴とする。
【００１４】
請求項７の手段は、前記した請求項６において、前記上下動ピンには長手方向に沿って係止段部を有する溝が形成され、該溝に対して前記印体に螺合されたネジやピンからなる突起物の先端が挿入され、前記印体を前記本体から抜き取っても前記上下動ピンが前記印体から抜け出ないようにしたことを特徴とする。
【００１５】
請求項８の手段は、前記した請求項６において、前記印体の穴内に前記スプリングと前記上下動ピンとを挿入した状態において前記穴の開口部にリングを圧入固定することで前記上下動ピンが前記印体から抜け出ないようにしたことを特徴とする。
【発明の効果】
【００１６】
本発明は前記したように、請求項１にあっては、印部が形成された印体を本体の開口に対して着脱自在に嵌め込み、かつ、止め具によって抜け出ないようにしたことにより、印部が長期間使用したことによって文字等が潰れた場合に、印体のみを交換することで本体を共通部品として使用できるのでコストの低減を図ることができ、また、他の文字等と交換して使用することもできる。
【００１７】
また、請求項２にあっては、本体の開口に印体を嵌め込んだ状態において、印体の印部と反対面側が開口の底部に当接していることから、殴打したりプレス機によって被刻印物に刻印を行って生じる衝撃力によって止め具が緩むことが少ないので多数回の刻印作業でも、みだりに印体が本体から抜け出ることがない。
【００１８】
さらに、請求項３にあっては、手打ち用刻印具の場合には、殴打受け体を着脱自在に取付けると共に該殴打受け体が抜け出るのを防止する止め具を取付けることで、異なる文字の印体を使用して印体が損傷しない状態で殴打を受ける側が損傷しても殴打受け体を交換することで、本体を長期にわたって使用することができる。
【００１９】
また、請求項４，５にあっては、止め具として、本体に形成されたネジ孔に螺合されるネジと、印体に形成された溝とで形成され、前記ネジの先端を前記溝に係止させて抜け止めとしたり、あるいは、本体にネジ止めされる止め板を印体に形成された平坦面に当接した状態で止め板を本体にネジ止めして抜け止めとした構造であることから、印体の交換が簡単に行えると共に構造が簡単であることから、コストの低減を図ることができる。
【００２０】
さらに、請求項６にあっては、止め具として、スプリングによってバネ付勢された上下動ピンを印体に内蔵し、本体に形成した皿状孔内に上下動ピンを係合することで、印体を本体内に固定することができ、かつ、印体を本体から外す場合には上下動ピンをスプリングのバネ力に抗して皿状孔より指等で押し込むことで分離できるので、ドライバー等を使用しないで簡単に行うことができる。
【００２１】
また、請求項７，８にあっては、印体に挿入されているスプリングと上下動ピンとは、突起物やリングによって抜け出ないようにしたことにより、印体を本体から分離しても印体からスプリングや上下動ピンが抜け出ることがなく、従って、印体の保管や交換時が行い易いといった効果を有するものである。
【図面の簡単な説明】
【００２２】
【図１】本発明に係る手打ち用刻印具の第１実施例の一部を断面した全体の側面図である。
【図２】第２実施例の一部を断面した全体の側面図である。
【図３】第３実施例を示し、（ａ）は一部を断面した全体の側面図、（ｂ）印体の一部を断面した側面図である。
【図４】第４実施例を示し、（ａ）全体の平面図、（ｂ）は上下動ピン部分の断面図、（ｃ）は印体のみの拡大断面図である。
【図５】第５実施例を示し、（ａ）は一部を断面した全体の側面図、（ｂ）印体のみの拡大断面図である。
【図６】プレス機用刻印具の一部を断面した側面図である。
【図７】従来例を示し、（ａ）は手打ち用刻印具の斜視図、（ｂ）プレス機用刻印具の斜視図である。
【発明を実施するための形態】
【００２３】
以下、本発明に係る刻印具の第１の実施例を示し、刻印具としては手打ち用刻印具である。
図１において、１は共通部品となる炭素工具鋼等の材料で構成された本体にして円柱状や角柱状に形成され、両端には丸孔の開口１ａ，１ｂが形成されている。また、本体１には前記開口１ａ，１ｂに通じるネジ孔１ｃ，１ｄが形成されている。
【００２４】
２は前記本体と同様な材料で構成され、前記本体１の開口１ａに抜き差し可能な径に形成された円柱状の印体にして、一面に文字やマークが隆起した印部２ａが形成され、他面は平坦面２ｂに形成されている。そして、印体２の外周面の一部（前記本体１のネジ孔１ｃと対向する部分）には有端溝２ｃが形成されている。
【００２５】
このように構成した本体１の開口１ａに印体２の平坦面２ｂ側より底面部に当接するまで挿入すると、有端溝２ｃがネジ孔１ｃに位置するので止め具であるネジ３を螺合することで、印体２は抜け止め状態となる。従って、本体１の印体２が取付けられた面とは反対側を殴打して被刻印物に刻印を行うことができる。
【００２６】
そして、長期間使用して印体２の印部２ａが潰れて使用不可となったり、あるいは、他の文字が形成されている印部２ａの印体２と交換する場合には、前記ネジ３を緩めて新たな印体２と交換、あるいは、他の印体２と交換することで、本体１を共用部品として使用できると共に長期間にわたって使用することができる。
【００２７】
また、殴打する時に印体２の平坦面２ｂと開口１ａの底部とが当接していることから、殴打による衝撃がネジ３に直接的に作用しないので、ネジ３に対する衝撃が小さくネジ３が緩むことが少ないので多数回の刻印作業でも、みだりに印体２が本体１から抜け出ることがない。
【００２８】
なお、手打ち用刻印具として使用すると、本体１の印体２が装着されたとは反対側の端部を殴打することになるので、殴打する側の端部が損傷することになるので、本発明にあっては、本体１に殴打受け体４を交換自在とした。
【００２９】
その構造は、開口１ｂを形成すると共に該開口１ｂに貫通するネジ孔１ｄを形成する。また、殴打受け体４の外周面に平坦に形成されたネジ受け面４ａを形成する。また、開口１ｂに挿入される端面は平坦面４ｂとなっている。そして、殴打受け体４を開口１ｂを差し込んで平坦面４ｂが開口１ｂの底部に当接した状態でネジ孔１ｄに止め具であるネジ３を螺合する。
【００３０】
このような構成することで、殴打を繰替え行い殴打受け体４が損傷した場合には、ネジ３を緩めて新しい殴打受け体４と交換することで、本体１を共用部品として使用できると共に長期間にわたって使用することができ、また、ネジ３に対する衝撃が小さくネジ３が緩むことが少ないので多数回の殴打作業でも、みだりに殴打受け体４が本体１から抜け出ることがない。
【００３１】
次に、第２の実施例を図２と共に説明する。なお、図１と同一符号は同一部材を示し説明は省略する。
この実施例にあっては、本体１の印体２を取付ける側の外周面に一部が開口１ａに達する段部１ｅが形成されると共にネジ孔１ｆが形成されている。５はネジ挿通孔５ａが形成された押さえ板にして、前記本体１の段部１ｅに載せた状態においてネジ３をネジ挿通孔５ａから挿通して前記ネジ孔１ｆに螺合することで、押さえ板５は本体に固定状態となる。
【００３２】
一方、一端に印部２ａが形成された印体２の外周面には平坦に形成された押さえ板５と面接触する段状の受け面２ｄが形成されている。そして、前記ネジ３を緩めた状態で印体２の受け面２ｄが前記押さえ板５の下面と接触状態となるように開口１ａに挿入し、ネジ３を締め付けると印体２の受け面２ｄが押さえ板５と本体１の段部１ｅとの間に挟持された状態で固定される。
【００３３】
なお、殴打受け体４は前記した第１の実施例と同様な構造の物を示したが、本実施例における印体２の本体１への固定手段と同様な押さえ板５によって固定してもよい。
【００３４】
このような構成とすることで、殴打受け体４を殴打すると印体２は押さえ板５によって段部１ｅとの間に挟持されているので、抜け出ることなく印部２ａによる被被刻印物への刻印を行うことができる。なお、この実施例における作用効果は前記した第１の実施例と同様な作用効果が得られるが、その詳細についての説明は省略する。
【００３５】
次に、第３の実施例を図３と共に説明する。なお、図１と同一符号は同一部材を示し説明は省略する。
この実施例にあっては、本体１の開口１ａと連通する皿状孔１ｇを開口する。  一方、印体１に軸長と直交する方向に穴２ｇを開口する。そして、止め具となるスプリング６と、該スプリング６によってバネ力が付与される段部７ａを介して先端が半球状の頭部７ｂが形成された上下動ピン７とから構成されている。
【００３６】
このように構成された止め具にあっては、上下動ピン７をスプリング６のバネ力に抗して印体２の穴２ｇ内に押し込んだ状態で本体１の開口１ａに挿入する。そして、印体２の平坦面２ｂが開口１ａの底面に当接した状態において、上下動ピン７の頭部７ｂが本体１に形成された皿状孔１ｇから突出し、段部７ａが皿状孔１ｇの周縁下面に当接して停止する。
【００３７】
なお、殴打受け体４は前記した第１の実施例と同様な構造の物を示したが、本実施例における印体２の本体１への固定手段と同様なスプリング６、上下動ピン７によって固定してもよい。
【００３８】
このような構成とすることで、殴打受け体４を殴打すると印体２はバネ付勢された上下動ピン７と本体１の皿状孔１ｇとの係合によって固定されるので、抜け出ることなく印部２ａによる被被刻印物への刻印を行うことができる。なお、この実施例における作用効果は前記した第１の実施例と同様な作用効果が得られるが、その詳細についての説明は省略する。
【００３９】
前記した第３の実施例における印体２の本体１の開口１ａに対する止め具としてのスプリング６と上下動ピン７との組み合わせにあっては、印体２を開口１ａから抜いた場合、印体２の穴２ｇからスプリング６と上下動ピン７とが抜け出てバラバラになってしまうという。そのため、他の文字の印体２と交換する等の場合には、その保管管理が面倒になるという問題がある。
【００４０】
そこで、印体２を本体１の開口１ａから取り外してもスプリング６と上下動ピン７とが印体２の穴２ｇから抜け出ない工夫を施した実施例を図４，５と共に説明する。図４にあっては、上下動ピン２における外周面の長手方向に沿って係止段部７ｃを有する溝７ｄを形成する。一方、印体２に穴２ｇ内に突出するネジやピン等の突起物８を取付け、該突起物８を前記溝７ｄに臨ませるようにしたものである。
【００４１】
このように構成することで、上下動ピン７は突起物８によって案内されながら上下動自在であることから、印体２を本体１の開口１ａに挿入した状態おいては止め具としての役目をなし、上下動ピン７を開口１ａから抜き取った状態においては、突起物８が段部７ｃに当接して上下動ピン７が穴２ｇから抜け出ることがなく、従って、他の印体２と交換しても抜き取った印体２のスプリング６や上下動ピン７がバラバラになることがなく保管が行い易くなる。
【００４２】
図５にあっては、印体２の穴２ｂの開口面に段部２ｈを形成し、穴２ｂ内にスプリング６と上下動ピン７を挿入した状態において段部２ｈにリング９を圧入したものである。なお、図４と図５とでは、上下動ピン７に対するスプリング６の配置が異なっているが、上下動ピン７に対するバネ力は同じように作用するので、何れのスプリング６の掛け方であっても動作は同じである。
【００４３】
このように構成することで、上下動ピン７は穴２ｂ内において上下動自在であることから、上下動ピン７を本体１の開口１ａに挿入した状態おいては止め具としての役目をなし、印体２をン開口１ａから抜き取った状態においては、リング９に段部７ｃが当接して上下動ピン７が穴２ｇから抜け出ることがなく、従って、他の印体２と交換しても抜き取った印体２のスプリング６や上下動ピン７がバラバラになることがなく保管が行い易くなる。
【００４４】
前記した何れの実施例も手打ち用刻印具として適したものであるが、プレス機用の刻印具の場合には本体１の印体２が取付けられた端部とは反対側の端部がプレス機にキャッチされるので、手打ち用刻印具のように殴打受け体４を取付ける必要はない。例えば、図６に示すようにプレス機にキャッチされる部分は棒状の形状のままでよい。
【符号の説明】
【００４５】
１          本体
１ａ        開口
２          印体
２ａ        印部
３          ネジ（止め具）
【図１】
2010188643.tif 000003
【図２】
2010188643.tif 000004
【図３】
2010188643.tif 000005
【図４】
2010188643.tif 000006
【図５】
2010188643.tif 000007
【図６】
2010188643.tif 000008
【図７】
2010188643.tif 000009